(57)【要約】【課題】保護層の厚さ及び情報の記録密度が異なり且つ再生に用いるレーザ光の波長が異なる複数種類の光記録媒体に記録された信号を安定かつ良好に再生できる光ピックアップ装置を実現する。【解決手段】２波長半導体レーザ１１と、位相差板１２と、２波長半導体レーザ１１側から順に配置された回折格子１３ａ，１３ｂと、ビームスプリッタ１４と、コリメータレンズ１５と、対物レンズ１６と、センサレンズ１７と、光検出器１８とを有している。２波長半導体レーザ１１の第２の発光部１１ｅは、コリメータレンズ１５の焦点近傍に配置されている。対物レンズ１６は、２波長半導体レーザ１１の第１の発光部１１ｄからの光に対して正弦条件をほぼ満足するように構成されている。【選択図】　　図１
2004039108.tif 000002
【特許請求の範囲】
【請求項１】
波長の異なる２つの光を射出する第１及び第２の発光部と、前記第１及び第２の発光部からの光を平行光線束に整形するコリメータレンズと、前記コリメータレンズからの光を第１又は第２の光記録媒体のいずれかに集光する対物レンズと、前記第１又は第２の光記録媒体のいずれかからの反射光を受光して、前記反射光の強度に対応した電気信号に変換する受光部とを有する光ピックアップ装置であって、
前記第２の発光部は、前記コリメータレンズの焦点近傍に配置され、
前記対物レンズは、前記第１の発光部からの光に対して正弦条件をほぼ満足すること
を特徴とする光ピックアップ装置。
【請求項２】
請求項１記載の光ピックアップ装置において、
前記第１及び第２の発光部から射出される光は発散光線束であること
を特徴とする光ピックアップ装置。
【請求項３】
請求項１又は２に記載の光ピックアップ装置において、
前記対物レンズは、前記第１の光記録媒体での作動距離と前記第２の光記録媒体での作動距離とが異なること
を特徴とする光ピックアップ装置。
【請求項４】
請求項３記載の光ピックアップ装置において、
前記第２の発光部は、前記コリメータレンズの焦点近傍から、前記対物レンズの姿勢特性に対応して所定のオフセット量でオフセットされた位置に配置されること
を特徴とする光ピックアップ装置。
【請求項５】
請求項１乃至４のいずれか１項に記載の光ピックアップ装置において、
前記第１及び第２の発光部は、前記コリメータレンズの光軸に対してほぼ垂直な面内で位置調整可能に取り付けられていること
を特徴とする光ピックアップ装置。
【請求項６】
請求項１乃至５のいずれか１項に記載の光ピックアップ装置において、
前記第１の光記録媒体はＤＶＤ系又はＣＤ系の一方であり、
前記第２の光記録媒体は前記ＤＶＤ系又はＣＤ系の他方であること
を特徴とする光ピックアップ装置。
【請求項７】
請求項１乃至６のいずれか１項に記載の光ピックアップ装置を備えること
を特徴とする光再生装置。
【発明の詳細な説明】
【０００１】
【発明の属する技術分野】
本発明は、例えばＣＤ（コンパクト・ディスク）とＤＶＤ（デジタル・バーサタイル・ディスク）のように保護層の厚さ及び情報の記録密度が異なり且つ再生に用いるレーザ光の波長が異なる複数種類の光記録媒体（光ディスク）に記録された信号を、短波長用と長波長用の２つのレーザ光の発光部を１つのパッケージに組み込んだ光源モジュールを用いるとともに対物レンズを含めて各波長で共通の光学系を用いて再生できるようにした光ピックアップ装置及びこれを備えた光再生装置に関する。
【０００２】
【従来の技術】
特開２０００−２０７７６６号公報には、波長の異なる複数の光源と、複数の光源から射出されて光記録媒体で反射された各々の戻り光を個別に受光する複数の受光部パターンを同一基板上に形成した光検出器と、複数の光源から光検出器に至る光路を共有する光学系とを備えた光ピックアップ装置及びそれを備えた光再生装置が記載されている。
【０００３】
上記公報には、複数の受光部パターンを同一基板上に形成することで、各々の受光部パターンが高精度な相対位置精度を有することにより、波長の異なる複数の光源から射出されて光記録媒体で反射された各々の戻り光を受光部パターンに高精度に導くことが可能となり、種類の異なる光記録媒体に対して高品質の再生信号や記録信号を得ることが可能であることが記載されている。また、上記公報には、複数の光源を同一の半導体基板に構成すれば、光源の間隔を高精度で位置決めすることができることが記載されている。
【０００４】
また、特開２０００−８１５６６号公報には、１つの対物レンズでＤＶＤとＣＤ−Ｒのような保護層の異なる複数種類の光記録媒体の記録再生を可能とする光利用効率の高い光ヘッド用対物レンズが記載されている。この対物レンズは、両面が非球面である樹脂製単レンズであり、一方のレンズ面に光軸を中心とした輪帯状のパターンとして回折レンズ構造が形成されている。回折レンズ構造は、少なくとも２つの異なる波長の光束による同一次数の回折光が、保護層の厚さの異なる少なくとも２種類の光ディスクに対し、それぞれ良好な波面を形成するよう波長依存性を有している。
【０００５】
例えば、同一の半導体基板上に２つの光源を形成した２波長半導体レーザを用いることで、各光源間の間隔を高精度に保つことができる。また、各光源に対応した２系統の受光部（受光部パターン）を同一の半導体基板上に形成した受光素子（フォトダイオード集積回路：ＰＤ−ＩＣ）を用いることで、各受光部間の間隔を高精度に保つことができる。さらに、上記公報に記載されている対物レンズを使用することで、保護層の厚さの異なる光記録媒体のそれぞれに対して球面収差等を除去することができる。
【０００６】
【発明が解決しようとする課題】
そこで、例えばＣＤとＤＶＤのように保護層の厚さ及び情報の記録密度が異なり、かつ記録再生に用いるレーザ光の波長が異なる複数種類の光記録媒体に記録された信号を安定かつ良好に再生できる光ピックアップ装置を低い製造コストで実用化することが望まれている。また、波長の異なる２つのレーザ光発光部を１つのパッケージに組み込んだ光源モジュールを用いるとともに、対物レンズを含めて各波長で共通の光学系を用いて、複数種類の光記録媒体に記録された信号を安定かつ良好に再生できる光ピックアップ装置を低い製造コストで実用化することが望まれている。
【０００７】
しかしながら、対物レンズを含めて各波長で共通の光学系を用いた場合、波長の異なる２つの発光部のうちいずれか一方しか光軸上に配置することができない。すなわち、他方の発光部は光軸外に配置されることになる。このため、いずれか一方の収差が大きくなってしまうという問題が生じる。また、対物レンズは、２種類の光記録媒体のいずれか一方に対してコマ収差を除去するように形成することができる。しかしながら、双方の光記録媒体に対してコマ収差を除去するためには、光記録媒体のいずれか一方に対してコマ収差を除去するように形成された２つの対物レンズを切り替えて使用する必要がある。このため、光ピックアップ装置の機構が複雑になり、かつ製造コストが増加してしまうという問題が生じる。
【０００８】
本発明の目的は、保護層の厚さ及び情報の記録密度が異なり、且つ再生に用いるレーザ光の波長が異なる複数種類の光記録媒体に記録された信号を安定かつ良好に再生でき、光ピックアップ装置及びそれを備えた光再生装置を低い製造コストで提供することにある。
【０００９】
【課題を解決するための手段】
上記目的は、波長の異なる２つの光を射出する第１及び第２の発光部と、前記第１及び第２の発光部からの光を平行光線束に整形するコリメータレンズと、前記コリメータレンズからの光を第１又は第２の光記録媒体のいずれかに集光する対物レンズと、前記第１又は第２の光記録媒体のいずれかからの反射光を受光して、前記反射光の強度に対応した電気信号に変換する受光部とを有する光ピックアップ装置であって、前記第２の発光部は、前記コリメータレンズの焦点近傍に配置され、前記対物レンズは、前記第１の発光部からの光に対して正弦条件をほぼ満足することを特徴とする光ピックアップ装置によって達成される。
【００１０】
上記本発明の光ピックアップ装置において、前記第１及び第２の発光部から射出される光は発散光線束であることを特徴とする。
【００１１】
上記本発明の光ピックアップ装置において、前記対物レンズは、前記第１の光記録媒体での作動距離と前記第２の光記録媒体での作動距離とが異なることを特徴とする。
【００１２】
上記本発明の光ピックアップ装置において、前記第２の発光部は、前記コリメータレンズの焦点近傍から、前記対物レンズの姿勢特性に対応して所定のオフセット量でオフセットされた位置に配置されることを特徴とする。
【００１３】
上記本発明の光ピックアップ装置において、前記第１及び第２の発光部は、前記コリメータレンズの光軸に対してほぼ垂直な面内で位置調整可能に取り付けられていることを特徴とする。
【００１４】
上記本発明の光ピックアップ装置において、前記第１の光記録媒体はＤＶＤ系又はＣＤ系の一方であり、前記第２の光記録媒体は前記ＤＶＤ系又はＣＤ系の他方であることを特徴とする。
【００１５】
また、上記目的は、上記本発明の光ピックアップ装置を備えることを特徴とする光再生装置によって達成される。
【００１６】
【発明の実施の形態】
本発明の一実施の形態による光ピックアップ装置及び光再生装置について図１乃至図１３を用いて説明する。図１は本実施の形態による光ピックアップ装置の模式構造図である。本実施の形態による光ピックアップ装置１０は、各種のデジタル・バーサタイル・ディスク（ＤＶＤ−ＲＯＭ，ＤＶＤ−ＲＡＭ等）１ａ及びコンパクト・ディスク（ＣＤ等）１ｂなどの種類の異なる光記録媒体に対応できるようになっている。光ピックアップ装置１０は、２波長半導体レーザ（レーザダイオード：ＬＤ）１１と、位相差板１２と、２波長半導体レーザ１１側から順に配置された回折格子１３ａ，１３ｂと、ビームスプリッタ１４と、コリメータレンズ１５と、図示を省略した立ち上げミラーと、対物レンズ１６と、センサレンズ１７と、光検出器（ＰＤ−ＩＣ：フォトダイオード集積回路）１８とを有している。
【００１７】
２波長半導体レーザ１１は、相対的に波長の短い第１のレーザ光を発生する第１の発光部と、相対的に波長の長い第２のレーザ光を発生する第２の発光部とを１つのパッケージに組み込んだ２波長レーザ光源を構成している。２波長レーザ光源は、ＤＶＤ再生用の波長６５５ｎｍのレーザ光とＣＤ再生用の波長７８５ｎｍのレーザ光とを発生させることができる。２波長半導体レーザ１１の光出力は再生クラス（例えば５ｍＷ）である。２波長半導体レーザ１１は、半導体基板（半導体レーザ本体）が金属製等の筺体（ケース）に封止されており、筺体に設けられたレーザ窓部から各レーザ光を射出するようになっている。不図示のバックモニタで２波長半導体レーザ１１の光出力量を検知し、半導体レーザに供給する電力をフィードバック制御等することで光出力量を自動制御（ＡＰＣ：自動パワーコントロール）するようになっている。
【００１８】
図２は光源を構成する２波長半導体レーザ１１の概略構造及びレーザ光ビームの放射特性を示す図であり、図２（ａ）は２波長半導体レーザの概略構造を示す斜視図、図２（ｂ）は２波長半導体レーザの放射特性を示す説明図、図２（ｃ）は光ビームの放射特性の半値全幅角度を示すグラフである。図２（ａ）及び図２（ｂ）は半導体基板を封止する筺体を除いて、半導体レーザの本体部のみを示している。半導体レーザ１１は、例えばガリウム砒素（ＧａＡｓ）製の半導体基板１１ａ上に波長６５５ｎｍ用導波路（第１の導波路）１１ｂ及び波長７８５ｎｍ用導波路（第２の導波路）１１ｃが所定の間隔（例えば１１０μｍ）で形成されており、各導波路の端部が各発光点１１ｄ，１１ｅとなっている。第１の発光点（ＤＶＤ用発光点）１１ｄからは波長６５５ｎｍのレーザ光が射出され、第２の発光点（ＣＤ用発光点）１１ｅからは波長７８５ｎｍのレーザ光が射出される。符号ＬＡは２つの光源の各発光点１１ｄ，１１ｅの間隔である。本実施の形態において、２つの光源の発光点１１ｄ，１１ｅの間隔ＬＡは１１０μｍである。半導体レーザ１１は、フォトリソグラフィ工程で製造されるため、間隔ＬＡは高精度に形成され製造誤差が少ない。
【００１９】
半導体レーザ１１の筐体は、光ピックアップ装置に取り付けられた後に、発光点１１ｅ，１１ｆが光軸に垂直な平面内で移動するように位置調整できるようになっている。図３は、発光点１１ｄ，１１ｅとコリメータレンズ１５の配置を示している。なお図３では、位相差板１２、回折格子１３ａ，１３ｂ、及びビームスプリッタ１４の図示を省略している。図３に示すように、発光点１１ｅは、コリメータレンズ１５の焦点近傍（光軸）に配置されている。ここで、「焦点近傍に配置される」とは、発光点１１ｅの方が発光点１１ｄよりもより焦点に近い状態をいう。発光点１１ｄは、コリメータレンズ１５の焦点を含んで光軸に垂直な仮想平面７０上に配置されている（画角ψ≠０°）。半導体レーザ１１の筐体を光ピックアップ装置に取り付けた後、半導体レーザ１１の位置調整が可能であるため、各発光点１１ｄ，１１ｅを最適位置に容易に配置できる。
【００２０】
各発光点１１ｄ，１１ｅから射出されたレーザ光は不図示の筺体に形成されたレーザ窓から筺体の外部へ射出される。２波長半導体レーザ１１は、波長６５５ｎｍ（ＤＶＤ用）のレーザ光を自励発振モードで発振させ、波長７８５ｎｍ（ＣＤ用）のレーザ光をゲインガイド型マルチモードで発振させる。なお、２波長半導体レーザ１１は、各波長のレーザ光をシングルモードで発振させるものでもよい。
【００２１】
図２（ｂ）に示すように、第１の発光点１１ｄから放射される波長６５５ｎｍのレーザ光ビームの放射特性の半値全幅角度θ１は、第２の発光点１１ｅから放射される波長７８５ｎｍのレーザ光ビームの放射特性の半値全幅角度θ２よりも大きくしてある。ここで、放射特性の半値全幅角度θ（θ１，θ２）は、図２（ｃ）に示すように、光強度が最大値Ｉｍａｘの１／２となる角度範囲である。本実施の形態では、波長６５５ｎｍのレーザ光ビームの放射特性の半値全幅角度θ１を３０度〜３５度に設定し、波長７８５ｎｍのレーザ光ビームの放射特性の半値全幅角度θ２を２５度程度に設定している。
【００２２】
図１に示す位相差板１２は１／４波長板である。位相差板１２により直線偏光の光ビームは円偏光に変換される。一般にＤＶＤの高速再生には円偏光が望ましいとされている。本実施の形態では、位相差板１２として薄いガラス板に機能性フィルムを貼り付けたものが用いられている。位相差板１２は、直線偏光の光の偏光面に対して光学軸が４５度傾くように設置されている。
【００２３】
回折格子１３ａは、例えば半導体レーザ１１側の面にＤＶＤ用の格子面が形成され、回折格子１３ｂは、ビームスプリッタ１４側の面にＣＤ用の格子面が形成されている。回折格子１３ａ，１３ｂでの分割光量比率は、ＤＶＤ／ＣＤともに例えば、１（＋１次光）：６（０次光）：１（−１次光）である。格子ピッチは、例えばＤＶＤ側が２１．２μｍ、ＣＤ側が３１．０μｍである。ＤＶＤ格子面はＣＤ波長（７８５ｎｍ）では回折しないように、また、ＣＤ格子面はＤＶＤ波長（６５５ｎｍ）では回折しないように波長選択性を持たせている。この排他的な作用（波長選択性）は、通常の回折格子よりも溝深さを深くするともに、格子間隔のデューティ比を０．５からずらした格子形状とすることで実現されている。
【００２４】
ビームスプリッタ１４は、半導体レーザ１１側からの光ビームを光記録媒体方向へ反射させ、また、光記録媒体からの反射光を光検出器１８側へ透過させるもので、いわゆるハーフミラーの機能を有している。図１では、立方体状のビームスプリッタ１４を例示している。
【００２５】
コリメータレンズ１５は、光源である半導体レーザ１１からの発散光線束を平行光線束に変換して対物レンズ１６に導くとともに、対物レンズ１６からの平行光線束を集束光線束に変換して光検出器１８へ導くものである。本実施の形態では、プラスチック射出成型品で、両面が非球面型のコリメータレンズを用いている。
【００２６】
図示を省略した立ち上げミラーは、コリメータレンズ１５からの平行光線束を対物レンズ１６の方向へ反射させ、また、対物レンズ１６からの平行光線束をコリメータレンズ１５側へ反射させるものである。本実施の形態では立ち上げミラーとして平面状のミラーを用いている。折り曲げ角度（反射角度）は９０度である。
【００２７】
図４は対物レンズの構造図であり、図４（ａ）は正面図を示し、図４（ｂ）は側面図を示している。図４（ｃ）は図４（ｂ）の一部拡大図を示している。なお、図４（ｂ）では各ディスク（光記録媒体）１ａ，１ｂの側面も併せて示している。なお、図４（ｂ）において、符号ＫａはＤＶＤの情報記録面、符号ＫｂはＣＤの情報記録面である。符号ｔａはＤＶＤの厚さ（ｔａ＝０．６ｍｍ）、符号ｔｂはＣＤの厚さ（ｔｂ＝１．２ｍｍ）である。
【００２８】
対物レンズ１６は、第１又は第２のレーザ光を光記録媒体の情報記録面に集光して読み取りスポットを形成するために正のパワーを有するレンズと同心円輪帯状のホログラムと有する対物レンズを構成している。
【００２９】
本実施の形態による光ピックアップ装置１０では、対物レンズ１６として２重焦点回折型の対物レンズを用いている。対物レンズ（２重焦点回折対物レンズ）１６は、光学プラスチック材料を射出成型して作製されている。図４（ｂ）に示すように、対物レンズ１６は両面が非球面に形成されている。図４（ａ）に示すように、曲率の大きいレンズ面（立ち上げミラー側、すなわち光記録媒体とは反対側）には、多数の同心円輪帯１６ｃ状のホログラフィック回折格子（ホログラム）が形成されている。図４（ｃ）に示すように、同心円輪帯は鋸歯断面形状に形成することで、回折効率を向上させている。図４（ａ）に示すように、対物レンズ１６の中心領域はＣＤ／ＤＶＤ兼用領域１６ａであり、その外周側の領域はＤＶＤ専用領域１６ｂである。対物レンズ１６は、ＤＶＤ用（波長６５５ｎｍ）の光ビームをＤＶＤ１ａの情報記録面Ｋａに集束させ、ＣＤ用（波長７８５ｎｍ）の光ビームをＣＤ１ｂの情報記録面Ｋｂに集束させる。
【００３０】
対物レンズ１６は、ＤＶＤ用の光ビームに対して正弦条件を満たすように形成されている。図５は正弦条件の説明図である。図５に示すように、凸レンズ７２の光軸上の一方には物点Ｏ（光源）が配置されている。物点Ｏから射出した光線は、凸レンズ７２を透過して像点Ｏ’を形成する。物点Ｏとレンズ７２との間の距離をａとし、凸レンズ７２と像点Ｏ’との距離をｂとすると、像倍率β１＝ｂ／ａとなる。ここで、物点Ｏから発散するある光線の凸レンズ７２の光軸となす角度をｕ１とし、像点Ｏ’に集束する当該光線の光軸となす角度をｕ２とする。このときの正弦条件違反量Ｓｃは、Ｓｃ＝（ｓｉｎ（ｕ１））／（ｓｉｎ（ｕ２））−β１となる。正弦条件を満たしていれば、物点Ｏから射出して凸レンズ７２を透過する全ての光線の正弦条件違反量Ｓｃは０になる。また、正弦条件を満たしていれば、光軸外の物点Ｏ１（軸外物点）から発散し、光軸外の像点Ｏ１’（軸外像点）で集束する光線束の収差（軸外収差）は極小になる。
【００３１】
各ディスク（光記録媒体）１ａ，１ｂは、情報記録面Ｋａ，Ｋｂをポリカーボネート等からなる保護層で保護している。保護層の厚さ（ほぼ光記録媒体の厚さに相当する）は光記録媒体の種類毎に異なる。保護層の厚さに依存して入射光の球面収差が変化するので、光記録媒体の種類に応じて球面収差の量も異なる。そこで、２重焦点回折対物レンズ１６を用いることで、光記録媒体の種類による球面収差の相違を補正するようにしている。
【００３２】
対物レンズ１６はアクチュエータ組立（アクチュエータアッセンブリ）８０上にフォーカス方向及びトラッキング方向（光記録媒体のラジアル方向）に移動自在に保持されている。図６は、アクチュエータ組立８０の構造図である。図６に示すように、アクチュエータ組立８０は、フレーム８３と、対物レンズ１６を保持するホルダ８１と、ホルダ８１をフレーム８３に対して移動自在に保持するワイヤ８２とを有している。不図示の磁気回路及び駆動コイルの組み合わせによりフォーカスサーボ制御及びトラッキングサーボ制御が行われて対物レンズ１６の位置が制御され、光ビームのスポットを光記録媒体上の読み取り点に追従させることができるようになっている。
【００３３】
図７は対物レンズと光記録媒体との間の作動距離を示す図であり、図７（ａ）は波長の短いレーザ光を用いて再生する光記録媒体（ＤＶＤ）１ａと対物レンズ１６との間の作動距離Ｄ１を示し、図７（ｂ）は波長の長いレーザ光を用いて再生する光記録媒体（ＣＤ）１ｂと対物レンズ１６との間の作動距離Ｄ２を示している。
【００３４】
本実施の形態による光ピックアップ装置１０では、相対的に波長の短い第１のレーザ光を用いて保護層が薄く情報の記録密度が高い第１の光記録媒体（ＤＶＤ）１ａを再生する際の対物レンズ１６と第１の光記録媒体１ａとの間隔（作動距離）Ｄ１を、相対的に波長の長い第２のレーザ光を用いて保護層が厚く情報の記録密度が低い第２の光記録媒体（ＣＤ）１ｂを再生する際の対物レンズ１６と第２の光記録媒体１ｂとの間隔（作動距離）Ｄ２よりも長く設定している。なお、作動距離Ｄ１，Ｄ２は、対物レンズ１６の光記録媒体側の頂面から光記録媒体の対物レンズ１６と対向する面までの距離（間隔）である。
【００３５】
このため図６のホルダ８１は、再生する光記録媒体１ａ，１ｂの種類に応じて所定の作動距離が得られるように図６に示す両矢印方向に移動するようになっている。このとき、ワイヤ８２の一端側がフレーム８３に固定されているため、ＣＤ１ｂを再生する際の対物レンズ１６’’は、ＤＶＤ１ａを再生する際の対物レンズ１６’に対して、ワイヤ８２の一端側を低くして傾斜する。このため、ＣＤ用の発光点１１ｅは、図３に示したようにコリメータレンズ１５の焦点から、対物レンズ１６’，１６’’の傾斜の状態（姿勢特性）に対応して所定のオフセット量でオフセットされた位置に配置することができる。
【００３６】
なお、図７では各光記録媒体１ａ，１ｂの情報記録面と対物レンズ１６との距離が等しくなるように各光記録媒体１ａ，１ｂを配置した例を示したが、図４（ｂ）に示したように情報記録面と対物レンズ１６との距離は光記録媒体１ａ，１ｂ毎に異なるように各光記録媒体１ａ，１ｂを配置するようにしてもよい。
【００３７】
図１に戻り、センサレンズ１７は本実施の形態による光ピックアップ装置１０において重要な部材であり、このセンサレンズ１７によって以下に記す５つの機能が実現される。センサレンズ１７は、まず第１に、光源（物点）と光検出器１８の各受光部（像点）１８ａ，１８ｂとがほぼ共役になるように調整（共役調整）し、フォーカスオフセット調整を行う。第２は、非点収差法による焦点（合焦）検出のために、非点収差を光ビーム（読み出し光）に付与する。第３は、ビームスプリッタ１４で発生した不都合な非点収差を取り除く。第４は、光検出器１８上のスポットを大きくし、光検出器１８の位置調整精度を±５μｍ程度に緩和して、光検出器１８の位置調整を容易にする。第５は、ビームスプリッタ１４で発生した不都合なコマ収差を取り除く。不都合なコマ収差を取り除くことで、ＤＶＤ−ＲＡＭ再生信号の品質を向上させることができる。
【００３８】
図８はセンサレンズ１７の一構造例であり、図８（ａ）は正面図、図８（ｂ）は一方の側断面図、図８（ｃ）は他方の側断面図、図８（ｄ）は図８（ａ）のＡ−Ａ’線断面図、図８（ｅ）は図８（ａ）のＢ−Ｂ’線断面図である。センサレンズ１７は、上記の各種の機能を実現するために次に示す構成をとっている。図８（ｂ）に示すように、センサレンズ１７のビームスプリッタ１４側の面は、光検出器１８側のＮＡ（レンズの開口数）を下げて共役調整を容易にするため凹レンズ１７ｂになっている。
【００３９】
また、センサレンズ１７の光検出器１８側の面はシリンドリカル凹レンズ１７ａとしている。シリンドリカル凹レンズ１７ａは、非点収差発生素子として機能する。シリンドリカル凹レンズ１７ａのシリンドリカル面の方向は、非点収差法に必要な非点収差の方向と、ビームスプリッタ１４が平行平板形状の場合における非点収差補正に必要な非点収差の方向とを勘案して決定される。
【００４０】
なお、センサレンズ１７は、光学性プラスチックを射出成型によって作製しており、位置調整用ピン穴１７ｃ及び位置調整用ガイドも一体成型されている。
【００４１】
一般に、集束光線束の光路中に透明平行平板やレンズ等を光軸に対して斜めに配置するとコマ収差が発生する。コマ収差があると、後程説明するプッシュプル法等で信号を再生した際にプッシュプルバランスがくずれてしまう。そこで、図８（ｅ）に示すように、発生しているコマ収差を打ち消すようにセンサレンズ１７のレンズ面を光軸に対して傾斜させてコマ収差を除去するようにしている。
【００４２】
図１に示すように、受光素子を含む光検出器（ＰＤ−ＩＣ）１８は、ＤＶＤ１ａからの反射光（ＤＶＤ用）の受光部１８ａと、ＣＤ１ｂからの反射光（ＣＤ用）の受光部１８ｂとを備える。図中の符号ＬＢは各受光部１８ａ，１８ｂの間隔である。各受光部１８ａ，１８ｂの間隔ＬＢを各発光点１１ｄ，１１ｅの間隔ＬＡよりも広く設定している。より具体的には、各受光部１８ａ，１８ｂの間隔ＬＢは、各発光点１１ｄ，１１ｅの間隔ＬＡの１．１倍〜１．６倍程度にしている。すなわち、ＬＡ＝（１／β）・ＬＢの関係においてβ＝１．１〜１．６としている。
【００４３】
光検出器（ＰＤ−ＩＣ）１８は、メインビーム及びサブビームをそれぞれ受光してメインビーム及びサブビームのそれぞれに対応した電流信号に変換する受光部（ＰＤ：フォトダイオード部又はフォトディテクト部）と、受光部で発生した電流信号を電圧信号に変換して所定の演算を施して各種信号（再生信号（ＲＦ信号）、フォーカス誤差信号、トラッキング誤差信号等）を生成・出力する演算部（ＩＣ部）とを有している。本実施の形態では、受光部及び演算部（ＩＣ部）をモノリシックＩＣで構成し、このモノリシックＩＣを例えば１４ピンのＣＯＢ（チップ・オン・ボード）パッケージに封入している。
【００４４】
図９は光検出器の受光部の受光素子パターン構成を示す図である。光検出器（ＰＤ−ＩＣ）１８は、ＤＶＤ用受光部１８ａとＣＤ用受光部１８ｂとを備える。図９中の符号ＬＢは、ＤＶＤ用受光部１８ａの中心点とＣＤ用受光部１８ｂの中心点との間隔である。本実施の形態において、間隔ＬＢは１５２μｍとしている。したがって、発光点の間隔ＬＡ（１１０μｍ）に対して受光部の間隔ＬＢ（１５２μｍ）は約１．３８倍となる。言い換えれば、ＬＡ＝（１／β）・ＬＢの関係においてβ＝１．３８である。
【００４５】
ＤＶＤ用受光部１８ａは、メインビーム受光素子パターン部１８ａ１と、第１のサブビーム受光素子パターン部１８ａ２と、第２のサブビーム受光素子パターン部１８ａ３とを備える。メインビーム受光素子パターン部１８ａ１は、田の字状に４分割された４個のメインビーム受光素子パターンａ，ｂ，ｃ，ｄを有している。
【００４６】
ＤＶＤ用受光部１８ａの第１のサブビーム受光素子パターン部１８ａ２は、田の字状に４分割された４個のサブビーム受光素子パターンｅ１，ｅ２，ｅ３，ｅ４を有している。第１のサブビーム受光素子パターン部１８ａ２は、メインビーム受光素子パターン部１８ａ１に対して図中左方向に少しずらされて配置されている。第２のサブビーム受光素子パターン部１８ａ３は、田の字状に４分割された４個のサブビーム受光素子パターンｆ１，ｆ２，ｆ３，ｆ４を有している。第２のサブビーム受光素子パターン部１８ａ３は、メインビーム受光素子パターン部１８ａ１に対して図中右方向に少しずらされして配置されている。なお、本実施の形態では、各受光素子パターン部内における各受光素子パターンの分割間隔はそれぞれ４μｍ程度としている。
【００４７】
さらに、ＤＶＤ用受光部１８ａのメインビーム受光素子パターン部１８ａ１は、ＣＤ用受光部１８ｂのメインビーム受光素子パターン部１８ｂ１に対して図示下方向に少しずらされて配置されている。
【００４８】
ＣＤ用受光部１８ｂは、メインビーム受光素子パターン部１８ｂ１と、第１のサブビーム受光素子パターン部１８ｂ２と、第２のサブビーム受光素子パターン部１８ｂ３とを備えている。メインビーム受光素子パターン部１８ｂ１は、田の字状に４分割された４個のメインビーム受光素子パターンＡ，Ｂ，Ｃ，Ｄを有している。
【００４９】
ＣＤ用受光部１８ｂの第１のサブビーム受光素子パターン部１８ｂ２は、図示の上下方向に２分割された各サブビーム受光素子パターンＥ１，Ｅ２を有している。メインビーム受光素子パターン部１８ｂ１に近い側のサブビーム受光素子パターンＥ１は、遠い側のサブビーム受光素子パターンＥ２よりも面積が広く設定されている。第１のサブビーム受光素子パターン部１８ｂ２は、メインビーム受光素子パターン部１８ｂ１に対して図中左方向に少しずらされて配置されている。
【００５０】
ＣＤ用受光部１８ｂの第２のサブビーム受光素子パターン部１８ｂ３は、図示の上下方向に２分割された各サブビーム受光素子パターンＦ１，Ｆ２を有している。メインビーム受光素子パターン部１８ｂ１に近い側のサブビーム受光素子パターンＦ２は、遠い側のサブビーム受光素子パターンＦ２よりも面積が広く設定されている。第２のサブビーム受光素子パターン部１８ｂ３は、メインビーム受光素子パターン部１８ｂ１に対して図中右方向に少しずらされて配置されている。なお、本実施の形態では、各受光素子パターン部内における各受光素子パターンの分割間隔はそれぞれ４μｍ程度としている。
【００５１】
図１０は光検出器（ＰＤ−ＩＣ）の動作様式の説明図である。図１０は光記録媒体（ディスク）の種類（ＤＶＤ−ＲＯＭ，ＤＶＤ−ＲＡＭ，ＣＤ−ＲＯＭ及びＣＤ−ＲＷの３区分）と、再生に使用する受光素子と、フォーカス誤差検出方法及びトラッキング誤差検出方法との関係を表形式に示したものである。なお、図１０では光ビームスポットを表す丸印を付けることで再生に使用する受光素子を示している。
【００５２】
ＤＶＤ−ＲＯＭを再生する場合は、ＤＶＤ用受光部のメインビーム受光素子パターンａ，ｂ，ｃ，ｄのみを使用する。フォーカス誤差検出（ＦＥＳ）は非点収差法を用いて行う。各受光素子パターンａ，ｂ，ｃ，ｄの出力をそれぞれＶａ，Ｖｂ，Ｖｃ，Ｖｄとすると、非点収差法によるフォーカス誤差検出出力ＦＥＳは次式で示される。
ＦＥＳ＝（Ｖａ＋Ｖｃ）−（Ｖｂ＋Ｖｄ）
【００５３】
ＤＶＤ−ＲＯＭの再生に際してトラッキング誤差検出（ＲＥＳ）は位相差法を用いて行う。位相差法は、トラックずれが生じるとピットによる振幅変調に加えて移送偏重も検出できることを利用してトラッキング誤差を検出する。なお、ＤＶＤ−ＲＯＭのみを再生する場合は、サブビームが不要であるので回折格子１３ａ，１３ｂは不要である。
【００５４】
ＤＶＤ−ＲＡＭを再生する場合は、ＤＶＤ用受光部の全ての受光素子パターンを使用する。フォーカス誤差検出（ＦＥＳ）は差動非点収差法を用いて行う。ＤＶＤ−ＲＡＭはディスク面に形成されたランドとグルーブが等幅であり、通常の非点収差法では溝横断ノイズが発生する。この溝横断ノイズはメインビームとサブビームで逆位相となるので、メインビームによる検出出力とサブビームによる検出出力を加算することで溝横断ノイズを除去することができる。そこで、メインビームとサブビームの双方を用いて非点収差検出を行う。各受光素子パターンａ〜ｄ，ｅ１〜ｅ４，ｆ１〜ｆ４の出力をそれぞれＶａ〜Ｖｄ，Ｖｅ１〜Ｖｅ４，Ｖｆ１〜Ｖｆ４とすると、差動非点収差法（ＤＡＤ）によるフォーカス誤差検出出力ＤＡＤ−ＦＥＳは次式で示される。なお、次式において、ｋは係数である。
ＤＡＤ−ＦＥＳ＝｛（Ｖａ＋Ｖｃ）−（Ｖｂ＋Ｖｄ）｝＋ｋ｛（Ｖｆ１＋Ｖｆ３＋Ｖｅ１＋Ｖｅ３）−（Ｖｆ２＋Ｖｆ４＋Ｖｅ２＋Ｖｅ４）｝
【００５５】
ＤＶＤ−ＲＡＭの再生に際してトラッキング誤差（ＲＥＳ）の検出は差動プッシュプル法を用いて行う。ＤＶＤ−ＲＡＭはランド−グルーブ構造であるため３ビーム法を適用できない。また、ＤＶＤ−ＲＡＭは千鳥状のエンボスピットによって記録されたアドレス情報（ＣＡＰＡ）を再生するためにプッシュプル出力が必要である。一方、単純プッシュプル法は、メインビームのみでトラッキング誤差を検出するため調整が簡単であるがラジアルシフト特性が悪い。差動プッシュプル法（ＤＰＰ）は、メインビームのプッシュプル出力とサブビームのプッシュプル出力とがラジアル方向のシフトによりオフセットを生じた場合でも、サブビームのプッシュプル出力波形を上下反転させて同相の２信号を加算することで、ラジアルシフト特性が改善された良好なトラッキング誤差出力が得られる。なお、この差動プッシュプル法（ＤＰＰ）では、各サブビームがメインビームに対してそれぞれ１トラックピッチの±１／２周期ずれていることが前提条件となる。
【００５６】
ＣＤ−ＲＯＭ及びＣＤ−ＲＷを再生する場合は、ＣＤ用受光部の各受光素子パターンＡ，Ｂ，Ｃ，Ｄ，Ｅ１，Ｅ２，Ｆ１，Ｆ２を使用する。フォーカス誤差検出（ＦＥＳ）は非点収差法を用いて行う。各受光素子パターンＡ，Ｂ，Ｃ，Ｄの出力をそれぞれＶＡ，ＶＢ，ＶＣ，ＶＤとすると、非点収差法によるフォーカス誤差検出出力ＦＥＳは次式で示される。
ＦＥＳ＝（ＶＡ＋ＶＣ）−（ＶＢ＋ＶＤ）
【００５７】
ＣＤ−ＲＯＭ及びＣＤ−ＲＷの再生に際してトラッキング誤差検出（ＲＥＳ）は３ビーム法を用いて行う。３ビーム法はＣＤのトラッキング検出法として広く用いられている。各サブビームはメイントラックに対してそれぞれトラックピッチの１／４ピッチ分ずつずれて配置される。各受光素子パターンＥ１，Ｅ２，Ｆ１，Ｆ２の出力をそれぞれＶＥ１，ＶＥ２，ＶＦ１，ＶＦ２とすると、３ビーム法によるトラッキング誤差検出出力（ＲＥＳ）は次式で示される。
ＦＥＳ＝（ＶＥ１＋ＶＥ２）−（ＶＦ１＋ＶＦ２）
【００５８】
なお、３ビーム法では、第１のサブビームの受光素子パターン部を各サブビーム受光素子パターンＥ１，Ｅ２に２分割しなくてもよく、同様に第２のサブビームの受光素子パターン部を各サブビーム受光素子パターンＦ１，Ｆ２に２分割しなくてもよい。
【００５９】
図１に示すように、２波長半導体レーザ１１から射出された直線偏光の光ビーム（レーザ光）は、位相差板１２で円偏光に変えられた後に回折格子１３ａ，１３ｂに入射し、トラッキング用の２つのサブビーム（＋１次光，−１次光）とＲＦ検出用及びフォーカシング用のメインビーム（０次光）がビームスプリッタ１４に入射する。ビームスプリッタ１４に入射したメインビーム及び各サブビームのそれぞれの約半分の光量の光はビームスプリッタ１４で反射して進行方向が９０度曲げられてコリメータレンズ１５側へ射出する。コリメータレンズ１５に入射する光ビームは発散光線束である。
【００６０】
コリメータレンズ１５はビームスプリッタ１４側から入射した光ビーム（発散光線束）を平行光線束に変換する。コリメータレンズ１５から射出した光ビーム（平行光線束）は図示を省略した立ち上げミラーによって光ビームの進行方向が光記録媒体１ａ，１ｂのディスク面（記録面）にほぼ直交する方向へ変更されて、対物レンズ１６に入射し、対物レンズ１６で集束光線束となって各光記録媒体１ａ，１ｂの情報記録面にスポット光として照射される。
【００６１】
各光記録媒体１ａ，１ｂで反射された反射光は、対物レンズ１６、不図示の立ち上げミラー、コリメータレンズ１５の順でビームスプリッタ１４に至り、約半分の光量の光がビームスプリッタ１４を透過する。ビームスプリッタ１４を透過した光は、センサレンズ１７を介して光検出器（ＰＤ−ＩＣ）１８へ至り、光検出器（ＰＤ−ＩＣ）１８で電気信号に変換される。
【００６２】
本実施の形態において、光源１１より射出した光ビームを光記録媒体へ導く光学系は、位相差板１２と回折格子１３ａ，１３ｂとビームスプリッタ１４とコリメータレンズ１５と不図示の立ち上げミラーと対物レンズ１６とで構成される。また、光記録媒体で反射された光ビームを受光素子１８へ導く光学系は、対物レンズ１６と不図示の立ち上げミラーとコリメータレンズ１５とビームスプリッタ１４とセンサレンズ１７とで構成される。そして、ビームスプリッタ１４とコリメータレンズ１５と不図示の立ち上げミラーと対物レンズ１６とが、上記両光学系での共用部分（共通光路）となる。位相差板１２と回折格子１３ａ，１３ｂとは投光専用であり非共用部分である。また、ビームスプリッタ１４から光検出器（ＰＤ−ＩＣ）１８へ至る光路（光学系）は受光専用でありこれも非共用部分である。本実施の形態による光ピックアップ装置１０は、上記の非共用部分の中で受光専用の光学系の光路（具体的にはビームスプリッタ１４から光検出器１８へ至る光路）に、光記録媒体で反射された光ビームの合焦位置を光学的に調整するための反射光合焦位置調整部としてのセンサレンズ１７を設けている。
【００６３】
さらに、ビームスプリッタ１４と光検出器（ＰＤ−ＩＣ）１８との間に介設された（言い換えれば光検出器（ＰＤ−ＩＣ）１８の前段に設けられた）センサレンズ１７は、光記録媒体からの反射光（読み出し光）に非点収差を発生させるとともに、反射光（読み出し光）を所定の光学系倍率で拡大させて各受光部１８ａ，１８ｂ上に結像させるようになっている。反射光合焦位置調整部を構成するセンサレンズ１７は、負の屈折率を有するレンズ作用を発生させるホログラム等で構成してもよい。
【００６４】
さらに、センサレンズ１７は、不図示の光ピックアップハウジング内に光軸方向に移動可能に取り付けられている。そして、センサレンズ１７を光軸方向へ移動させることで、２波長レーザ光源（各発光点１１ｄ，１１ｅ）と受光素子（各受光部１８ａ，１８ｂ）の共役関係を実現する調整機構を構成する。なお、センサレンズ１７は、光記録媒体からの反射光（読み出し光）が光検出器１８の受光部１８ａ，１８ｂ上に合焦するようにセンサレンズ１７の位置が調整された後に、接着剤等を用いて不図示の光ピックアップハウジング内に接着固定される。
【００６５】
センサレンズ１７の位置を光軸方向において調整することで光記録媒体１ａ，１ｂに記録された信号を再生する場合の光学系倍率は変化するが、一方の光源を使用して光記録媒体に記録された信号を再生する場合の光学系倍率と、他方の光源を使用して光記録媒体に記録された信号を再生する場合の光学系倍率とは等しい。すなわち、第１の光源（波長６５５ｎｍ）を用いてＤＶＤ１ａを再生した際の光学系倍率と第２の光源（波長７８５ｎｍ）を用いてＣＤ１ｂを再生した際の光学系倍率とは同じ値である。
【００６６】
ＤＶＤ用の発光点１１ｄがコリメータレンズ１５の光軸外に配置されている場合、コリメータレンズ１５から出射される平行光線束はコリメータレンズ１５の光軸に対して斜め（画角ψ≠０）になる。ところが、対物レンズ１６はＤＶＤ用の光ビームに対して正弦条件を満足しているので収差の発生を抑えることができ、良好な光スポットを光記録媒体１ａ，１ｂの情報記録面上に形成できる。図１１は、コリメータレンズ１５に入射する平行光線束の画角ψと、発生する収差との関係を示すグラフである。横軸は画角ψを表し、縦軸は収差を表している。また線ａは正弦条件が満たされていない場合（Ｓｃ≠０）を示し、線ｂは正弦条件が満たされている場合（Ｓｃ＝０）を示している。正弦条件が満たされていない場合には、コマ収差と非点収差とが画角ψに基づいて発生する。これに対し、正弦条件が満たされている場合にはコマ収差が発生しない。このため、図１１に示すように、正弦条件が満たされている場合には、正弦条件が満たされていない場合に比較して、収差の発生を抑制できる。
【００６７】
以上説明したように本実施の形態による光ピックアップ装置１０では、ＣＤ用の発光部１１ｅがコリメータレンズ１５の焦点近傍の位置、又はコリメータレンズ１５の焦点から対物レンズ１６の姿勢特性に対応してオフセットされた位置に配置されている。また対物レンズ１６は、ＤＶＤ用の光ビームに対して正弦条件を満たすように形成・配置されている。これにより、いずれの光記録媒体の情報記録面に記録された信号を再生する場合でも、収差の発生を極力抑えることができる。さらに、光記録媒体のいずれか一方に対してコマ収差を除去するように形成された２つの対物レンズを設ける必要がないため、光ピックアップ装置の機構が複雑になることがなく、また製造コストを抑えることができる。
【００６８】
なお、ＤＶＤ用の発光点１１ｄをコリメータレンズ１５の焦点近傍の位置、又はコリメータレンズ１５の焦点から対物レンズ１６の姿勢特性に対応してオフセットされた位置に配置し、対物レンズ１６をＣＤ用の光ビームに対して正弦条件を満足するように形成してもよい。
【００６９】
そして、本実施の形態による光ピックアップ装置１０を用いて光再生装置を構成することで、種類の異なる光記録媒体に対応した光再生装置を経済的に提供することができる。
【００７０】
図１２は、本実施の形態による光ピックアップ装置１０を搭載した光再生装置５０の概略構成を示している。光再生装置５０は、図１２に示すように光記録媒体１００を回転させるためのスピンドルモータ５２と、光記録媒体１００にレーザビームを照射するとともにその反射光を受光する光ピックアップ装置１０と、スピンドルモータ５２及び光ピックアップ装置１０の動作を制御するコントローラ５４と、光ピックアップ装置１０にレーザ駆動信号を供給するレーザ駆動回路５５と、光ピックアップ装置１０にレンズ駆動信号を供給するレンズ駆動回路５６とを備えている。
【００７１】
コントローラ５４にはフォーカスサーボ追従回路５７、トラッキングサーボ追従回路５８及びレーザコントロール回路５９が含まれている。フォーカスサーボ追従回路５７が活性化すると、回転している光記録媒体１００の記録面にフォーカスがかかった状態となり、トラッキングサーボ追従回路５８が活性化すると、光記録媒体１００の偏芯している信号トラックに対して、レーザビームのスポットが自動追従状態となる。フォーカスサーボ追従回路５７及びトラッキングサーボ追従回路５８には、フォーカスゲインを自動調整するためのオートゲインコントロール機能及びトラッキングゲインを自動調整するためのオートゲインコントロール機能がそれぞれ備えられている。また、レーザコントロール回路５９は、レーザ駆動回路５５により供給されるレーザ駆動信号を生成する回路であり、光記録媒体１００に記録されている記録条件設定情報に基づいて、適切なレーザ駆動信号の生成を行う。
【００７２】
これらフォーカスサーボ追従回路５７、トラッキングサーボ追従回路５８及びレーザコントロール回路５９については、コントローラ５４内に組み込まれた回路である必要はなく、コントローラ５４と別個の部品であっても構わない。さらに、これらは物理的な回路である必要はなく、コントローラ５４内で実行されるソフトウェアであっても構わない。
なお、光再生装置５０は記録機能を備えた光記録再生装置に含まれていても、あるいは記録機能を有していない再生専用の装置であってもよい。
【００７３】
図１３は本実施の形態による他の光ピックアップ装置の模式構造図である。図１３に示す光ピックアップ装置２０は、２波長半導体レーザ２１から射出された光ビームの光軸を、対物レンズ２６から光検出器（ＰＤ−ＩＣ）２８に至る反射光の光軸に直交する方向に対して所定の角度傾けることで、光ピックアップ装置２０の幅方向（反射光の光軸に直交する方向）の寸法を小さくして、光ピックアップ装置２０のさらなる小型化を図ったものである。
【００７４】
光ピックアップ装置２０の構成及び作用は図１に示した光ピックアップ装置１０と基本的に同じである。なお図１３では、２波長半導体レーザ２１から射出されたレーザ光が位相差板２２で反射して一部がレーザ２１に戻るのを防止するため、位相差板２２を傾けて配置している。符号ＬＡは第１の発光点２１ｄと第２の発光点２１ｅとの間隔である。符号ＬＢは各受光部の間隔である。
【００７５】
この光ピックアップ装置２０では、ビームスプリッタ２４として平行平板形状の基材を用いている。ビームスプリッタ２４の一方の面（２波長半導体レーザ２１側の面）２４ａにはハーフミラー膜が形成されている。また、ビームスプリッタ板２４の他方の面（光検出器２８側の面）２４ｂには有害反射防止膜が形成されている。
【００７６】
２波長半導体レーザ２１から射出された光ビームは、位相差板２２、回折格子２３ａ，２３ｂを介してビームスプリッタ板２４の一方の面２４ａに入射し、一部がビームスプリッタ２４で反射する。ビームスプリッタ２４で反射した光ビームは、コリメータレンズ２５で平行光線束に変換され、立ち上げミラー（不図示）によって紙面垂直方向に折り曲げられ、対物レンズ（２重焦点回折型対物レンズ）２６で集束されて不図示の光記録媒体の情報記録面に光スポットとして照射される。
【００７７】
不図示の光記録媒体で反射された反射光ビームは、対物レンズ２６、立ち上げミラー（不図示）、コリメータレンズ２５を経由してビームスプリッタ２４に至り、一部がビームスプリッタ２４を透過する。ビームスプリッタ２４を透過した反射光ビームは、センサレンズ２７を介して光検出器（ＰＤ−ＩＣ）２８の各受光部２８ａ，２８ｂに入射し、各受光部２８ａ，２８ｂによって反射光ビーム強度が検出される。
【００７８】
センサレンズ２７の位置を光軸方向に調整することで、各受光部２８ａ，２８ｂ上に各受光部に対応する波長の反射光ビームを合焦させることができる。これにより、光源−受光素子の共役調整がなされる。フォーカスオフセットの発生が解消されるので、種類の異なるいずれの光記録媒体に記録された信号も良好に再生できる。
【００７９】
各発光点の間隔ＬＡに対して各受光部の間隔ＬＢを１．１倍〜１．６倍程度に設定することで、光ピックアップ装置２０の全体寸法をそれほど大きくすることなく、光源−受光素子の共役調整を容易に行うことができる。すなわち、センサレンズ２７の位置調整に対して高い精度が要求されることなく、共役調整を行うことができる。したがって、センサレンズ２７の位置を自動で調整する場合でも高い位置制御精度が要求されることがなく、共役自動調整装置や共役調整治具等を経済的に実現できる。
【００８０】
【発明の効果】
以上説明したように、本発明によれば、例えばＣＤとＤＶＤのように保護層の厚さ及び情報の記録密度が異なりかつ記録再生に用いるレーザ光の波長が異なる複数種類の光記録媒体に記録された信号を安定かつ良好に再生できる光ピックアップ装置及びそれを備えた光再生装置を低い製造コストで実現できる。
【図面の簡単な説明】
【図１】本発明の一実施の形態による光ピックアップ装置の模式構造図である。
【図２】光源を構成する２波長半導体レーザ（レーザダイオード）の概略構造を示す斜視図である。
【図３】各発光点とコリメータレンズの配置を示す図である。
【図４】対物レンズの構造図であり、図４（ａ）は正面図、図４（ｂ）は側面図、図４（ｃ）は図４（ｂ）の一部拡大図である。
【図５】レンズの正弦条件の説明図である。
【図６】アクチュエータ組立の構造図である。
【図７】対物レンズと光記録媒体との間の作動距離を示す図であり、図７（ａ）は波長の短いレーザ光を用いて再生する光記録媒体（ＤＶＤ）と対物レンズとの間の作動距離を示す図、図７（ｂ）は波長の長いレーザ光を用いて再生する光記録媒体（ＣＤ）と対物レンズ１６との間の作動距離を示す図である。
【図８】センサレンズの構造図であり、図８（ａ）は正面図、図８（ｂ）は一方の側断面図、図８（ｃ）は他方の側断面図、図８（ｄ）は図８（ａ）のＡ−Ａ’線断面図、図８（ｅ）は図８（ａ）のＢ−Ｂ’線断面図である。
【図９】光検出器の受光部の受光素子パターン構成を示す図である。
【図１０】光検出器（ＰＤ−ＩＣ）の動作様式の説明図である。
【図１１】平行光線束の画角ψと発生する収差との関係を示すグラフである。
【図１２】本発明の一実施の形態による光ピックアップ装置を搭載した光再生装置の概略構成を示す図である。
【図１３】本発明の一実施の形態による他の光ピックアップ装置の模式構造図である。
【符号の説明】
１ａ　デジタル・バーサタイル・ディスク（ＤＶＤ）
１ｂ　コンパクト・ディスク（ＣＤ）
１０，２０　光ピックアップ装置
１１，２１　２波長半導体レーザ（光源）
１１ｄ，１１ｅ，２１ｄ，２１ｅ　発光点
１２，２２　位相差板
１３ａ，１３ｂ，２３ａ，２３ｂ　回折格子
１４，２４　ビームスプリッタ（ビームスプリッタ板）
１５，２５　コリメータレンズ
１６，２６　対物レンズ（２重焦点回折型対物レンズ）
１７，２７　センサレンズ（反射光合焦位置調整手段，負の屈折率を有するレンズ）
１７ａ　シリンドリカル凹レンズ
１７ｂ　凹レンズ
１７ｃ　位置調整用ピン穴
１８，２８　光検出器（ＰＤ−ＩＣ）
１８ａ，２８ａ　ＣＤ用受光部
１８ｂ，２８ｂ　ＤＶＤ用受光部
１８ａ１，１８ｂ１　メインビーム受光素子パターン部
１８ａ２，１８ａ３，１８ｂ２，１８ｂ３　サブビーム受光素子パターン部
５０　光再生装置
５２　スピンドルモータ
５４　コントローラ
５５　レーザ駆動回路
５６　レンズ駆動回路
５７　フォーカスサーボ追従回路
５８　トラッキングサーボ追従回路
５９　レーザコントロール回路
７０　仮想平面
７２　凸レンズ
８０　アクチュエータ組立
８１　ホルダ
８２　ワイヤ
８３　フレーム
１００　光記録媒体
ＬＡ　発光点の間隔
ＬＢ　受光部の間隔
θ１，θ２　半値全幅角度
ψ　画角
【図１】
2004039108.tif 000003
【図２】
2004039108.tif 000004
【図３】
2004039108.tif 000005
【図４】
2004039108.tif 000006
【図５】
2004039108.tif 000007
【図６】
2004039108.tif 000008
【図７】
2004039108.tif 000009
【図８】
2004039108.tif 000010
【図９】
2004039108.tif 000011
【図１０】
2004039108.tif 000012
【図１１】
2004039108.tif 000013
【図１２】
2004039108.tif 000014
【図１３】
2004039108.tif 000015